(57)【要約】      （修正有）【課題】装着脱を簡便なものとし、マイナスイオン効果も含め、その効能をさらに向上させた装身具を提供する。【解決手段】シリコンゴムにして、その成分組成体をリング状にしたことを特徴とする装身具にして、その組成体に微量放射性物質の法規制３７０Ｂｑ毎グラム以内であり、ラジウム・トリウム・セレニウム・ほか微量元素のコバルト・ゲルマニウムの何れか１種類乃至２種類以上の微細パウダーを含み、是より産生する、微量放射線ホルミシス（ｈｏｒｍｅｓＩｓ：ギリシャ語で刺激）乃至自然環境と同等で理想的な数値のネガティブイオン（マイナスイオン）が、１ｃｍ３当たり約１０００〜２０００粒、放出していることと、さらに長残光性蓄光顔料（夜光顔料）を付着乃至混練せしめたことを特徴とする。【選択図】図１
0003143994.tif 000002
【実用新案登録請求の範囲】
【請求項１】
シリコンゴムにして、その組成体をリング状に成型したことを特徴とする装身具。
【請求項２】
シリコンゴムにして、その成分組成体に微量放射性物質の法規制３７０Ｂｑ毎グラム以内であり、ラジウム・トリウム・セレニウム・ほか微量元素のコバルト・ゲルマニウムの何れか１種類乃至２種類以上の微細パウダーを含み、是より産生する、微量放射線ホルミシス（ｈｏｒｍｅｓＩｓ：ギリシャ語で刺激）乃至自然環境と同等で理想的な数値のネガティブイオン（マイナスイオン）が、１ｃｍ３当たり約１０００〜２０００粒、放出していることを特徴とする請求項１の装身具。
【請求項３】
シリコンゴムにして、その成分組成体に微量放射性物質の法規制３７０Ｂｑ毎グラム以内であり、ラジウム・トリウム・セレニウム・ほか微量元素のコバルト・ゲルマニウムの何れか１種類乃至２種類以上の微細パウダーを含み、是より産生する、微量放射線ホルミシス（ｈｏｒｍｅｓＩｓ：ギリシャ語で刺激）乃至自然環境と同等で理想的な数値のネガティブイオン（マイナスイオン）が、１ｃｍ３当たり約１０００〜２０００粒、放出していることと、さらに長残光性蓄光顔料（夜光顔料）を付着乃至混練せしめたことを特徴とする請求項１の装身具。
【考案の詳細な説明】
【技術分野】
【０００１】  当該考案は、微量放射線ホルミシス（ｈｏｒｍｅｓＩｓ：ギリシャ語で刺激）より産生するネガティブイオン（マイナスイオン）及び長残光性蓄光（夜光）を応用した機能性を有する装身具に関する。
【背景技術】
【０００２】  従前より、ネガティブイオン（マイナスイオン）を応用した健康装身具は多数存在した。【０００３】  磁石を組み込んだ磁気装身具は、多種多様な商品が開発されており、１つの例として腕時計のバンドのように金属を多数連結させて形成し、それらが直接肌に触れるため動くたびに違和感があった、それらは金属片に永久磁石を埋設あるいは磁界を以って着磁させたり、彫金嵌合乃至鍍金加工を施し高価なものとなると共に磁力を身体に附与するだけの物であった。【０００４】  他にも磁石を応用した健康磁気装身具は多数存在するが、いずれも球状乃至多面体の固体磁石などを適当な方法で、例えば多数の連結部材で繋ぎ合わせ接続具に装飾品を組み合わせたネックレス、ブレスレットが、健康に対して良好であったことからブームと成り普及に弾みをつけた。
【実用新案文献１】
登録実用新案３０２１２２５号
【０００５】    従前より、金乃至銀、またはプラチナなど、貴金属と遠赤外線を放射するセラミックス乃至鉱石等を組み合わせ形成された装身具が知られている。この装身具は直接肌に触れるように使用して、身体の血行を増進しようとする物である。
【考案の開示】
【０００６】  当該考案は、シリコンゴムにして、その組成体をリング状に成型したことを特徴とする装身具にして、その成分組成体に微量放射性物質の法規制３７０Ｂｑ毎グラム以内であり、ラジウム・トリウム・セレニウム・ほか微量元素のコバルト・ゲルマニウムの何れか１種類乃至２種類以上の微細パウダーを含み、是より産生する、微量放射線ホルミシス（ｈｏｒｍｅｓＩｓ：ギリシャ語で刺激）乃至自然環境と同等で理想的な数値のネガティブイオン（マイナスイオン）が、１ｃｍ３当たり約１０００〜２０００粒、放出していることと、さらに長残光性蓄光顔料（夜光顔料）を付着乃至混練せしめたことを特徴としたので、機能性イオン効果も含め、その効能をさらに向上することができることを奏する。
【考案が解決しようとする課題】
【０００７】  これからは、効果及びその持続性の高さを求めると共に、装着脱を簡便なものとし、該装身具より発現する機能性イオン効果も含め、その効能をさらに向上することを目的とする。
【０００８】  したがって当該考案は、係る問題点を解決する為になされたものであって、その目的は暗闇乃至夜間に於ける使用者乃至該装身具の所在の確認を容易にすることと、持続性の高い蓄光顔料の選抜及び恒常性維持機能（ホメオスターシス）乃至健康増進機能を有する製品を得ようとするものである。
【課題を解決するための手段】
【０００９】  当該考案は、シリコンゴムにして、その組成体をリング状に成型したことを特徴とする装身具にして、その成分組成体に微量放射性物質の法規制３７０Ｂｑ毎グラム以内であり、ラジウム・トリウム・セレニウム・ほか微量元素のコバルト・ゲルマニウムの何れか１種類乃至２種類以上の微細パウダーを含み、是より産生する、微量放射線ホルミシス（ｈｏｒｍｅｓＩｓ：ギリシャ語で刺激）乃至自然環境と同等で理想的な数値のネガティブイオン（マイナスイオン）が、１ｃｍ３当たり約１０００〜２０００粒、放出していることと、さらに長残光性蓄光顔料（夜光顔料）を付着乃至混練せしめたことを特徴とすることで、機能性イオン効果も含め、その効能をさらに向上することができる。
【考案の効果】
【００１０】  当該考案は、上記した様な構成になっており、暗闇や夜間での所在の確認も容易であり使用者の多様性に沿い、恒常性維持機能（ホメオスターシス）乃至健康増進機能を有するお洒落感覚も踏まえたリング状装身具にして、ネガティブイオン（マイナスイオン）効果も含め、機能性をさらに向上することができることを奏する。
【考案の実施するための最良の形態】
【００１１】  法規制レベル３７０Ｂｑ毎グラム以内の制定された安全基準を厳守し、ラジウム・トリウム・セレニウムを成分組成の最も主要な特徴とした、ほか微量元素のコバルト・ゲルマニウムの何れか１種類乃至２種類以上の微細パウダーを含み、是より産生する微量放射線ホルミシス（ｈｏｒｍｅｓＩｓ：ギリシャ語で刺激）は、生体を刺激し各種ホルモンの分泌を促し、生体機能の増進や細胞賦活作用をもち恒常性維持機能（ホメオスターシス）を増進させる働きがあるので、自然環境での最良と言われている、森林・川辺・滝壷の周辺に於ける約５００〜３０００個のネガティブイオン（マイナスイオン）が存在している事からそれと同等の発生量とすることを特徴とする。したがって機能性イオン効果も含め該装身具の機能性乃至その効能をさらに、向上することができる。
【００１２】  また、長残光性蓄光顔料（夜光顔料）を付着乃至混練せしめたことを特徴とすることで暗闇乃至夜間に於ける使用者若しくは、その所在の確認が容易にできる。
【００１３】  シリコンゴムの伸縮性を生かした機能性を有するシリコンゴム蓄光リングで使用するには、ゴム輪を拡げるようにして誰にでも簡便に手首乃至足首に装着できる様にした。
【実施例１】
【００１４】  以下、図１、図２は係る目的を達成した当該考案実施の形態で、是はあくまで１実施例であり当該考案を表現したもので、下記の例によって該考案が実施例だけに限定されるものではない。【００１５】  添付図面に従って１実施例を説明する。
図１（ａ）は、リング状に成型されたシリコンゴム装身具の外観斜視図である。
（ｂ）は、リング状に成型されたシリコンゴム装身具の外観水平図である。断面は円形乃至楕円形である。【００１６】  図１は当該考案１実施例の機能性を有するシリコンゴムリングで使用するときは、手首乃至足首にリング状に成形されたシリコンゴムリングを伸ばす様にして、簡便に手首乃至足首に装着できる。
【実施例２】
【００１７】  図２は、長残光性蓄光顔料（夜光顔料）を等間隔に付着乃至混練せしめたことを特徴とする機能性を有するシリコンゴム蓄光リングで、暗闇乃至夜間に於ける使用者若しくは、その所在の確認が容易にできる。当該考案の２実施例の外観斜視図である。
【図面の簡単な説明】
【００１８】
【図１】当該考案１実施例の機能性を有するシリコンゴムリング  （ａ）  リング状に成型されたシリコンゴム外観斜視図。（ｂ）  リング状に成型されたシリコンゴム外観水平図。
【図２】当該考案２実施例の装身具の外観斜視図。
【符号の説明】
【００１９】１  機能性を有するシリコンゴムリング
２  長残光性蓄光顔料（夜光顔料）を等間隔に混練したシリコンゴムリング
【図１】
0003143994.tif 000003
【図２】
0003143994.tif 000004